(57)【要約】【課題】清掃用踏段の反転部での着脱を要さず、踏段を連続駆動して繰り返しオイルパン清掃を行なえる乗客コンベアのオイルパン清掃装置の提供。【解決手段】踏段の一部を取外して組込まれる清掃用踏段１４と、清掃用踏段１４に備えられる電気掃除機１５とからなり、掃除機本体１８と吸込口１９を吸込管２０で連結し、第２の吸込管２０ｂで吸込口１９を回動可能に支持する。これにより、清掃用踏段１４の復路側への反転時に、第２の吸込管２０ｂと吸込口１９が回動し吸込口１９がオイルパン１３面に接触した後、往路側への反転時に第２の吸込管２０ｂと吸込口１９が回動してオイルパン１３から離れる。【選択図】        図３
2004244187.tif 000002
【特許請求の範囲】
【請求項１】
無端状に連結される複数の踏段の一部を取外した部分に清掃用踏段を組み込むとともに、この清掃用踏段に、前記踏段の下方に延設されたオイルパンと対向可能な吸込口を有する電気掃除機を備え、前記オイルパンを清掃する乗客コンベアのオイルパン清掃装置において、
前記吸込口の面積を、前記清掃用踏段の踏板面積よりも小さく設定するとともに、少なくとも一部が可撓性を有し、前記電気掃除機の本体および吸込口を連結する吸込管と、前記清掃用踏段に取付けられ、前記吸込口を回動可能に支持する支持体とを備え、この支持体が自重および前記吸込口の重量により回動するように構成したことを特徴とする乗客コンベアのオイルパン清掃装置。
【請求項２】
前記吸込口および支持体の少なくとも一方の回動を検知する回動検知手段を備え、この回動検知手段から出力される検知信号に応じて前記電気掃除機の起動、停止を制御するようにしたことを特徴とする請求項１に記載の乗客コンベアのオイルパン清掃装置。
【請求項３】
前記清掃用踏段の長手方向に敷設される案内レールと、この案内レールに沿って前記吸込口を走行させる駆動手段と、前記吸込口および支持体の少なくとも一方の回動を検知する回動検知手段とを備え、この回動検知手段から出力される検知信号に応じて前記電気掃除機の起動、停止を制御するとともに、前記吸込口が前記清掃用踏段の長手方向に所定の距離を走行するようにしたことを特徴とする請求項１に記載の乗客コンベアのオイルパン清掃装置。
【請求項４】
前記吸込口が前記清掃用踏段の長手方向への走行範囲の終端に達したことを検知する摺動検知手段を備え、この摺動検知手段から出力される検知信号に応じて乗客コンベアの駆動を停止させるようにしたことを特徴とする請求項３に記載の乗客コンベアのオイルパン清掃装置。
【発明の詳細な説明】
【０００１】
【発明の属する技術分野】
本発明は、エスカレータや移動道路などの乗客コンベアのオイルパン清掃装置に関する。
【０００２】
【従来の技術】
図１０は一般的なエスカレータを示す側面図である。
【０００３】
乗客コンベアの一例として図１０に示すエスカレータは、上部機械室に設けられたモータ１と、このモータ１の動力を減速し、駆動スプロケット２を備えた減速機３と、駆動スプロケット２により駆動チェーン４を介して駆動される上部スプロケット５と、踏段チェーン６を介して回転駆動する下部スプロケット７と、踏段チェーン６に連結される複数の踏段８と、これらの踏段８の両側端に立設する欄干９と、この欄干９の外周縁に配設され、図示しない駆動装置により踏段８の駆動と同期して走行する無端状の移動手摺り１０と、上部スプロケット５の上方に配置される上部床板１１と、下部スプロケット７の上方に配置される下部床板１２と、復路側の踏段８の下方に配設されるオイルパン１３とを備えている。
【０００４】
このようなエスカレータでは、例えば、駆動スプロケット２が図１０の時計方向（右回り）に回転駆動する場合、上部スプロケット５と下部スプロケット７も時計方向に回転し、踏段チェーン６、踏段８、および移動手摺り１０も右回りに走行するので、乗客が下部床板１２上から走行する踏段８に乗込み、上部床板１１上に降りることで下部から上部へ輸送される。ここで１枚の踏段８に着目すると、乗客が上部床板１１上に降りた後、前記の１枚の踏段８は上部床板１１の下方を通過し上部スプロケット５の部分で反転して斜め下方へ向かって走行する。そして、下部スプロケット７の部分で前記の踏段８が反転した後、下部床板１２の下方を通過して再び乗客の足場となるように繰り返される。
【０００５】
そして、この種の乗客コンベアに設けられるオイルパン清掃装置としては、オイルパンと対向可能な吸込口を有する電気掃除機が内蔵されている清掃用踏段を設け、オイルパン上の塵挨を前記の電気掃除機内に吸引するようにしたものが知られている（例えば、特許文献１参照。）。
【０００６】
【特許文献１】
特開平４−３３８０９６号公報
（段落番号０００８、０００９、図１、図２）
【０００７】
【発明が解決しようとする課題】
ところで、上述した従来の乗客コンベアのオイルパン清掃装置では、吸込口が明らかに清掃用踏段から突出しているので、踏段の復路側で清掃用踏段を走行させてオイルパン上の塵挨を吸込口より電気掃除機に吸引した後、清掃用踏段が反転する際に、前記の吸込口などの着脱を機械室内で行なう必要がある。したがって、乗客コンベアを連続駆動してオイルパン清掃を繰り返して行なうことが難しいため、作業性が悪く、オイルパン清掃作業にかなりの時間を要するという問題がある。
【０００８】
また、あえて乗客コンベアを連続駆動させて繰り返しオイルパン清掃を行なう場合には、踏段の往路側でも電気掃除機が動作した状態にあるので、その間に電気掃除機を駆動する動力が無駄になるとともに、オイルパン清掃が完了したことがわからず、余計に乗客コンベアを駆動させてしまうという問題もある。
【０００９】
また、吸込口の幅がオイルパンの幅より狭い場合、オイルパン全幅を清掃するのに吸込口の位置を変える必要があるため、その都度、吸込口の位置調整の手間がかかるという問題もある。
【００１０】
本発明は、上述した従来技術における実状に鑑みてなされたもので、その第１の目的は、清掃用踏段の反転部での着脱を要さず、踏段を連続駆動して繰り返しオイルパン清掃を行なうことのできる乗客コンベアのオイルパン清掃装置を提供することにある。
【００１１】
また、その第２の目的は、踏段を連続駆動して繰り返しオイルパン清掃を行なう際に、踏段の往路側での電気掃除機の動力の無駄をなくすことのできる乗客コンベアのオイルパン清掃装置を提供することにある。
【００１２】
また、その第３の目的は、踏段を連続駆動して繰り返しオイルパン清掃を行なう際に、吸込口をオイルパン幅方向へ自動的に位置調整することのできる乗客コンベアのオイルパン清掃装置を提供することにある。
【００１３】
また、その第４の目的は、踏段を連続駆動して繰り返しオイルパン清掃を行なった後、余計な乗客コンベアの駆動をなくすことのできる乗客コンベアのオイルパン清掃装置を提供することにある。
【００１４】
【課題を解決するための手段】
上記第１の目的を達成するため、本発明の請求項１に係わる発明は、無端状に連結される複数の踏段の一部を取外した部分に清掃用踏段を組み込むとともに、この清掃用踏段に、前記踏段の下方に延設されたオイルパンと対向可能な吸込口を有する電気掃除機を備え、前記オイルパンを清掃する乗客コンベアのオイルパン清掃装置において、前記吸込口の面積を、前記清掃用踏段の踏板面積よりも小さく設定するとともに、少なくとも一部が可撓性を有し、前記電気掃除機の本体および吸込口を連結する吸込管と、前記清掃用踏段に取付けられ、前記吸込口を回動可能に支持する支持体とを備え、この支持体が自重および前記吸込口の重量により回動する構成にした。
【００１５】
このように構成した請求項１に係わる発明では、清掃用踏段が往路側から復路側に反転する際に、清掃用踏段が回動可能に取付けられた支持体がオイルパン側へ回動して吸込管が撓んで支持体に追従することにより、支持体に支持される吸込管、および吸込口がオイルパン面に接近するとともに、この吸込口が自重で回動してオイルパン面に接触するようになっている。このようにして踏段の復路側でオイルパン清掃を行なった後、清掃用踏段が復路側から往路側に反転する際に、支持体がオイルパンから離れて清掃用踏段側へ回動して、吸込管が撓んで支持体に追従するとともに吸込口も追従する。これにより、清掃用踏段の反転部での着脱を要さず、踏段を連続駆動して繰り返しオイルパン清掃を行なえる。
【００１６】
また、上記第２の目的を達成するため、本発明の請求項２に係わる発明は、請求項１に係わる発明において、前記吸込口および支持体の少なくとも一方の回動を検知する回動検知手段を備え、この回動検知手段から出力される検知信号に応じて前記電気掃除機の起動、停止を制御する構成にした。
【００１７】
このように構成した請求項２に係わる発明では、清掃用踏段が往路側から復路側に反転する際に、清掃用踏段に取付けられた支持体がオイルパン側へ回動し、吸込管がオイルパン面に接近するととともに、吸込口がオイルパン面に接触するとき、これらの吸込口および支持体の少なくとも一方の回動を回動検知手段により検知し、この回動検知手段から出力される検知信号に応じて電気掃除機を起動して、踏段の復路側でオイルパン清掃を行なう。次いで、清掃用踏段が復路側から往路側に反転する際に、支持体および吸込管がオイルパンから離れて清掃用踏段側へ回動するとともに、吸込口も回動してオイルパン面から離れるとき、これらの吸込口および支持体の少なくとも一方の回動を回動検知手段により検知し、この回動検知手段から出力される検知信号に応じて電気掃除機を停止する。これにより、踏段を連続駆動して繰り返しオイルパン清掃を行なう際に、踏段の往路側での電気掃除機の動力の無駄をなくすことができる。
【００１８】
また、上記第３の目的を達成するため、本発明の請求項３に係わる発明は、請求項１に係わる発明において、前記清掃用踏段の長手方向に敷設される案内レールと、この案内レールに沿って前記吸込口を走行させる駆動手段と、前記吸込口および支持体の少なくとも一方の回動を検知する回動検知手段とを備え、この回動検知手段から出力される検知信号に応じて前記電気掃除機の起動、停止を制御するとともに、前記吸込口が前記清掃用踏段の長手方向に所定の距離を走行する構成にした。
【００１９】
このように構成した請求項３に係わる発明では、清掃用踏段が反転する際、清掃用踏段に取付けられた支持体が回動して吸込管が追従するとともに、吸込口が回動するとき、吸込口および支持体の少なくとも一方の回動を回動検知手段により検知し、この回動検知手段から出力される検知信号に応じて電気掃除機の起動や停止を制御する。また、駆動手段の駆動で吸込口を案内レールに沿って清掃用踏段の長手方向へ所定の距離走行させる。これにより、踏段を連続駆動して繰り返しオイルパン清掃を行なう際に、吸込口をオイルパン幅方向へ自動的に位置調整できる。
【００２０】
また、上記第４の目的を達成するため、本発明の請求項４に係わる発明は、請求項３に係わる発明において、前記吸込口が前記清掃用踏段の長手方向への走行範囲の終端に達したことを検知する摺動検知手段を備え、この摺動検知手段から出力される検知信号に応じて乗客コンベアの駆動を停止させる構成にした。
【００２１】
このように構成した請求項４に係わる発明では、駆動手段の駆動で吸込口を案内レールに沿って清掃用踏段の長手方向に走行させて、オイルパンの全幅にわたってオイルパン清掃を行なったとき、吸込口が清掃用踏段の長手方向への走行範囲の終端に達するので、摺動検知手段で検知して乗客コンベアの駆動を停止させる。これにより、踏段を連続駆動して繰り返しオイルパン清掃を行なった後、余計な乗客コンベアの駆動をなくすことができる。
【００２２】
【発明の実施の形態】
以下、本発明の乗客コンベアのオイルパン清掃装置の実施の形態を図に基づいて説明する。
【００２３】
図１は本発明の一実施形態に係わる乗客コンベアのオイルパン清掃装置を示す側面図、図２は本実施形態のオイルパン清掃装置を示す平面図、図３は図２のＡ−Ａ線に沿う断面図、図４は本実施形態に設けられる清掃用踏段を組み込んだ状態を示す側面図、図５は本実施形態に設けられる掃除機本体を清掃用踏段に収納した状態を示す側面図、図６は本実施形態により清掃用踏段の反転部でオイルパン清掃を開始する動作を説明する図、図７は本実施形態により清掃用踏段の他の反転部でオイルパン清掃を終了する動作を説明する図である。なお、図１〜図７において前述した図１０に示すものと同等のものには同一符号を付してある。
【００２４】
図１〜図７に示す本実施形態のオイルパン清掃装置は、複数の踏段８のうちの１つを取外した部分に組み込まれる清掃用踏段１４と、この清掃用踏段１４に設けられる電気掃除機１５とからなっている。
【００２５】
清掃用踏段１４は、通常時に他の踏段８と同様に走行しているが、図４に示すように保守点検時に踏板１６を取外した状態で、その開口部分からエスカレータの内部を観察できるようになっている。また、この清掃用踏段１４の内部には、図５に示すように踏板１６を外した開口部分から電気掃除機１５を組込めるようになっている。
【００２６】
電気掃除機１５は、図２および図３に示すように、清掃用踏段１４の長手方向に延設され、両端がそれぞれボルト２５により清掃用踏段１４の両端に締結される一対のフレーム部材１７と、これらのフレーム部材１７に固定され、塵挨を吸引する吸引力を発生する図示しないポンプや吸引した塵挨を蓄積するタンクを有する掃除機本体１８と、オイルパン１３の表面に対向し接触する吸込口１９と、この吸込口１９および掃除機本体１８を連結する吸込管２０と、フレーム部材１７の一部に敷設される案内レール２１と、この案内レール２１にガイドされ、吸込管２０と連結される摺動子２２とを備えている。
【００２７】
摺動子２２には、後述する第２の吸込管２０ｂが清掃用踏段１４側に倒れているときに接触する回動検知スイッチ２３と、摺動子２２を駆動する図示しないモータおよび摩擦ローラが設けられており、摺動子２２は電動で案内レール２１上を走行するようになっている。フレーム部材１７には、吸込口１９が清掃用踏段１４の端部に達したときに摺動子２２が接触する摺動検知スイッチ２４が設けられている。
【００２８】
吸込管２０は、掃除機本体１８に接続される第１の吸込管２０ａと、摺動子２２に回動可能に支持される第１のジョイント部材２６と、この第１のジョイント部材２６を介して第１の吸込管２０ａに接続される第２の吸込管２０ｂと、この第２の吸込管２０ｂを吸込口１９に対して回動可能に連結する第２のジョイント部材２７とで構成されており、第１の吸込管２０ａおよび第２の吸込管２０ｂは可撓性を有している。ここで第２の吸込管２０ｂは、第２の吸込管２０ｂの自重および吸込口１９の重量により第１のジョイント部材２６を回転軸にして図３の時計方向へ回動可能であるとともに、吸込管２０ｂの角度やオイルパン１３の傾斜角度などの変動に伴って、吸込口１９が自重で第２のジョイント部材２７を回転軸にして回動することにより、オイルパン１３の表面に対向して接触するようになっている。
【００２９】
吸込口１９の面積は、清掃用踏段１４の踏板面積より小さく設定されている。また、吸込口１９は、第１のジョイント部材２６、第２の吸込管２０ｂ、および第２のジョイント部材２７を介して摺動子２２に支持され、しかも、この摺動子２２は案内レール２１上を摺動自在に支持されているので、吸込口１９は案内レール２１の長手方向、すなわち清掃用踏段１４の長手方向に移動可能である。
【００３０】
この実施形態のオイルパン清掃装置にあっては、まず、図４に示すように清掃用踏段１４の踏板１６を取外した後、清掃用踏段１４内に掃除機本体１８を組込んで、フレーム部材１７をボルト２５で清掃用踏段１４に固定する。このとき、掃除機本体１８の主電源を入力するが、第２の吸込管２０ｂは自重と吸込口１９の重量により下方へ、すなわち清掃用踏段１４側に倒れて回動検知スイッチ２３に接触しているため、掃除機本体１８の動力は遮断されている。また、吸込口１９を図２の左側の位置（すなわち摺動検知スイッチ２４の反対側の位置）に配置して、吸込口１９の側端を清掃用踏段１４の枠に接触させておく。
【００３１】
次に、踏段８が往路側で上部へ走行する方向へエスカレータを駆動させると、図６に示すように、清掃用踏段１４が上部床板１１の下方を通過して上部スプロケット５により反転する際に、第２の吸込管２０ｂが自重と吸込口１９の重量で下方へ、すなわちオイルパン１３側に倒れ、吸込口１９はオイルパン１３面に対向して接触する。それと同時に、第２の吸込管２０ｂが回動検知スイッチ２３から離れたことで掃除機本体１８の動力が投入されるので、吸込口１９がオイルパン１３面に接触した状態でオイルパン１３の接触面に堆積した塵挨を吸引する。
【００３２】
そのまま上記のようにオイルパン１３面を清掃しながら、図７に示すように清掃用踏段１４が下部へ移動して下部スプロケット７の部分に達すると、清掃用踏段１４の反転によって、吸込口１９がオイルパン１３面から離れるとともに、第２の吸込管２０ｂは清掃用踏段１４側に倒れて清掃用踏段１４の内部に収納される。このとき、第２の吸込管２０ｂが回動検知スイッチ２３に接触するので、掃除機本体１８の動力が遮断される。さらに回動検知スイッチ２３が押されることによって、摺動子２２のモータ駆動で吸込口１９が図２の右側へ移動する。このようにして吸込口１９の移動を数回繰り返すことにより、オイルパン１３の全幅にわたって清掃を行なったとき、摺動子２２が摺動検知スイッチ２４に接触するので、無線によりエスカレータ主回路に信号を送り駆動を停止する。このようにしてエスカレータの駆動が停止したら、ボルト２５をゆるめてフレーム部材１７を取外して、清掃用踏段１４から掃除機本体１８を取出した後、清掃用踏段１４に踏板１６を取付けて一連のオイルパン清掃作業を終了する。
【００３３】
このように構成した本実施形態では、清掃用踏段１４に掃除機本体１８を組込んだ後、清掃用踏段１４の反転部で吸込口１９などを着脱する手間を要さず、踏段８を連続駆動して自動的にオイルパン１３の清掃を完了することができる。
【００３４】
また、本実施形態では、清掃用踏段１４が往路側から復路側に反転する際に、第２の吸込管２０ｂの回動を検知して電気掃除機１５を起動して、踏段８の復路側でオイルパン清掃を行なった後、清掃用踏段１４が復路側から往路側に反転する際に、第２の吸込管２０ｂの回動を検知して電気掃除機１５を停止するので、この踏段８の往路側で電気掃除機１５の動力の無駄をなくすことができる。
【００３５】
また、本実施形態では、清掃用踏段１４が反転する際に、第２の吸込管２０ｂの回動を検知して電気掃除機１５の起動、停止を制御するとともに、吸込口１９を案内レール２１に沿って清掃用踏段１４の長手方向に所定の距離、走行させるので、踏段８を連続駆動して繰り返しオイルパン清掃を行なう際に、吸込口１９をオイルパン幅方向へ自動的に位置調整できる。
【００３６】
また、本実施形態では、吸込口１９を案内レール２１に沿って清掃用踏段１４の長手方向に走行させてオイルパン１３の全幅にわたって清掃を行なったとき、吸込口１９が清掃用踏段１４の長手方向への走行範囲の終端に達するので、摺動検知スイッチ２４で検知してエスカレータの駆動を停止させるので、踏段８を連続駆動して繰り返しオイルパン清掃を行なった後、余計なエスカレータの駆動をなくすことができる。
【００３７】
なお、上記実施形態では、第２の吸込管２０ｂが、吸込口１９から吸入した塵埃の通路であるとともに、清掃用踏段１４に回動可能に取付けられ、吸込口１９を回動可能に支持する支持体を構成している。
【００３８】
さらに、上記実施形態では、回動検知スイッチ２３によって、吸込口１９および支持体の少なくとも一方の回動を検知する回動検知手段が構成され、摺動検知スイッチ２４によって、吸込口１９が清掃用踏段１４の長手方向への走行範囲の終端に達したことを検知する摺動検知手段が構成されている。
【００３９】
さらに、上記実施形態では、摺動子２２を駆動する図示しないモータおよび摩擦ローラによって、案内レール２１に沿って吸込口１９を走行させる駆動手段が構成されており、吸込口１９の幅分の移動は、図示しないタイマによりモータ１の駆動時間を制御するか、もしくは停止位置に、図示しない別のスイッチを設けて制御してもよい。また、吸込口１９の最後の移動が数ミリになるように、摺動子２２の移動量、吸込口１９の幅寸法、および摺動検知スイッチ２４の位置などを設定し、未清掃部を少なくするのが望ましい。あるいは、摺動検知スイッチ２４に接触後、１周駆動してから停止させる回路構造にしてもよい。
【００４０】
図８は本発明の他の実施形態に係わる乗客コンベアのオイルパン清掃装置を示す平面図、図９は図８のＢ−Ｂ線に沿う断面図である。なお、図８、図９において前述した図１〜図７および図１０に示すものと同等のものには同一符号を付してある。
【００４１】
図８、図９に示す本実施形態は、前述した図１〜図７に示すものと比べて、掃除機本体１８および吸込口１９に接続される可撓性の吸込管３１と、この吸込管３１の先端部の両側に配置される一対の支持体３２，３３を設けたことが異なっており、その他の構成は基本的に同様である。
【００４２】
一対の支持体３２，３３は、一端が摺動子２２と第１のジョイント部材３４を介して回動可能に連結され、他端が吸込口１９と第２のジョイント部材３５を介して回動可能に連結されており、一方の支持体３２により回動検知スイッチ２３を押圧可能である。
【００４３】
この実施形態にあっては、吸込管３１の先端部および支持体３２，３３が自重および吸込口１９の重量で第１のジョイント部材３４を回転軸にして図９の時計方向へ回動可能であるとともに、吸込管３１の角度やオイルパン１３の傾斜角度などの変動に伴って、吸込口１９が自重により第２のジョイント部材３５を回転軸にして回動することにより、オイルパン１３の表面に対向して接触するようになっており、このように構成した実施形態でも前述した図１〜図７に示すものと同様の効果が得られる。
【００４４】
【発明の効果】
以上説明したように本発明の請求項１に係わる発明は、清掃用踏段の反転部での着脱を要さず、踏段を連続駆動して繰り返しオイルパン清掃を行なうことができ、したがって、作業効率の良い乗客コンベアのオイルパン清掃装置を提供できるという効果がある。
【００４５】
また、本発明の請求項２に係わる発明は、踏段を連続駆動して繰り返しオイルパン清掃を行なう際に、踏段の往路側での電気掃除機の動力の無駄をなくすことができる。
【００４６】
また、本発明の請求項３に係わる発明は、踏段を連続駆動して繰り返しオイルパン清掃を行なう際に、吸込口を自動的にオイルパン幅方向へ位置調整を行なうことができる。
【００４７】
また、本発明の請求項４に係わる発明は、踏段を連続駆動して繰り返しオイルパン清掃を行なった後、余計な乗客コンベアの駆動をなくすことができる。
【図面の簡単な説明】
【図１】本発明の一実施形態に係わる乗客コンベアのオイルパン清掃装置を示す側面図である。
【図２】本実施形態のオイルパン清掃装置を示す平面図である。
【図３】図２のＡ−Ａ線に沿う断面図である。
【図４】本実施形態に設けられる清掃用踏段を組み込んだ状態を示す側面図である。
【図５】本実施形態に設けられる掃除機本体を清掃用踏段に収納した状態を示す側面図である。
【図６】本実施形態により清掃用踏段の反転部でオイルパン清掃を開始する動作を説明する図である。
【図７】本実施形態により清掃用踏段の他の反転部でオイルパン清掃を終了する動作を説明する図である。
【図８】本発明の他の実施形態に係わる乗客コンベアのオイルパン清掃装置を示す平面図である。
【図９】図８のＢ−Ｂ線に沿う断面図である。
【図１０】一般的なエスカレータを示す側面図である。
【符号の説明】
８  踏段
１３  オイルパン
１４  清掃用踏段
１５  電気掃除機
１６  踏板
１７  フレーム部材
１８  掃除機本体
１９  吸込口
２０  吸込管
２０ａ  第１の吸込管
２０ｂ  第２の吸込管（支持体）
２１  案内レール
２２  摺動子
２３  回動検知スイッチ（回動検知手段）
２４  摺動検知スイッチ（摺動検知手段）
２６  第１のジョイント部材
２７  第２のジョイント部材
３１  吸込管
３２，３３  支持体
３４  第１のジョイント部材
３５  第２のジョイント部材
【図１】
2004244187.tif 000003
【図２】
2004244187.tif 000004
【図３】
2004244187.tif 000005
【図４】
2004244187.tif 000006
【図５】
2004244187.tif 000007
【図６】
2004244187.tif 000008
【図７】
2004244187.tif 000009
【図８】
2004244187.tif 000010
【図９】
2004244187.tif 000011
【図１０】
2004244187.tif 000012